【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルポリシコントローラ（ＤＰＣ）プロセッサを含むＤＰＣと、
第１の電気通信ネットワーク内にあり、第１の通信リンクを介して前記ＤＰＣに結合された第１のＤＳＣプロセッサを含む第１の動的スペクトルコントローラ（ＤＳＣ）と、
第２の電気通信ネットワーク内にあり、第２の通信リンクを介して前記ＤＰＣに結合された第２のＤＳＣプロセッサを含む第２のＤＳＣと、
前記第２の電気通信ネットワーク内にあり、第３の通信リンクを介して前記第２のＤＳＣに結合されたｅＮｏｄｅＢプロセッサを有するｅＮｏｄｅＢを含み、
前記第１のＤＳＣプロセッサは、プロセッサ実行可能命令を用いて、
動的スペクトルアービトラージアプリケーションパート（ＤＳＡＡＰ）プロトコルを用い、前記第１の通信リンクを介して前記ＤＰＣと通信することを含む動作を実行するように構成され、
前記第２のＤＳＣプロセッサは、プロセッサ実行可能命令を用いて、
資源と関連付けられた地理的境界を決定すること、
前記ＤＳＡＡＰプロトコルを用い、前記第２の通信リンクを介して前記ＤＰＣと通信し、前記第３の通信リンクを介し、決定された前記地理的境界を識別する情報を前記ｅＮｏｄｅＢに送信することを含む動作を実行するように構成され、
前記ｅＮｏｄｅＢプロセッサは、プロセッサ実行可能命令を用いて、
前記第３の通信リンクを介して前記第２のＤＳＣと通信することを含む動作を実行するように構成され、前記ＤＳＡＡＰプロトコルを用いる前記第２のＤＳＣとの前記通信は、決定された前記地理的境界を識別する前記情報を受信することを含む、動的スペクトルアービトラージ（ＤＳＡ）システム。
【請求項２】
前記第１と第２の通信リンクは、Ｘｄインタフェース上で定義され、
前記第３の通信リンクは、Ｘｅインタフェース上で定義される、請求項１に記載のＤＳＡシステム。
【請求項３】
前記ｅＮｏｄｅＢプロセッサは、プロセッサ実行可能命令を用いて、
ネットワーク状態をモニタリングすること、
前記モニタリングの結果に基づいてレポートを生成することをさらに含む動作を実行するように構成され、
前記ＤＳＡＡＰプロトコルを使用して前記第３の通信リンクを介する前記第２のＤＳＣとの通信は、生成された前記レポートを前記第３の通信リンクを介して前記第２のＤＳＣへ送信することを含む、請求項１に記載のＤＳＡシステム。
【請求項４】
前記ネットワーク状態の前記モニタリングは、ネットワーク混雑のモニタリング、資源使用のモニタリング、および資源利用可能性のモニタリングの一つである、請求項３に記載のＤＳＡシステム。
【請求項５】
前記第２のＤＳＣプロセッサは、プロセッサ実行可能命令を用いて、
前記第３の通信リンクを介し、前記ＤＳＡＡＰプロトコルを用いて、前記ｅＮｏｄｅＢから生成された前記レポートを受信すること、
受信した前記レポートに含まれる情報を用い、前記第１の電気通信ネットワークによる割り当てと使用に利用可能な余剰ネットワーク資源が前記第２の電気通信ネットワーク内に存在するか否かを判定することをさらに含む動作を実行するように構成される、請求項３に記載のＤＳＡシステム。
【請求項６】
前記ＤＰＣプロセッサは、プロセッサ実行可能命令を用いて、
前記ＤＳＡＡＰプロトコルを介して前記第２のＤＳＣと少なくとも他の一つのＤＳＣと通信し、前記第２の電気通信ネットワークと少なくとも他の一つの電気通信ネットワークを含む異なるネットワークによる割り当てのために利用可能となった資源を識別する情報を受信すること、
受信した前記情報を利用し、前記異なるネットワークによる割り当てのために利用可能となった前記資源をプールすること、
前記ＤＳＡＡＰプロトコルを介して前記第１のＤＳＣと通信し、前記第１の電気通信ネットワーク内のワイヤレスデバイスによるアクセスと使用のために、前記資源のプールの一部を割り当てることを含む動作を実行するように構成される、請求項１に記載のＤＳＡシステム。
【請求項７】
前記ＤＰＣプロセッサは、プロセッサ実行可能命令を用いて、
前記第２の通信リンクを介し、ユーザトラフィック、および資源利用情報を前記第２のＤＳＣから受信すること、
受信した前記情報を利用して、前記第２の電気通信ネットワーク内のトラフィック、および資源の使用量をモニタリングすること、
前記第１の通信リンクを介して前記第１のＤＳＣと通信し、前記モニタリングの結果に基づいて前記第２の電気通信ネットワークの資源を前記第１の電気通信ネットワークに割り当てることを含む動作を実行するように構成される、請求項１に記載のＤＳＡシステム。
【請求項８】
前記ＤＰＣプロセッサは、プロセッサ実行可能命令を用いて、
前記第１の通信リンクを介して入札情報を前記第１のＤＳＣから受信すること、
前記第１の通信リンクを介して入札通知情報を前記第１のＤＳＣに送信することを含む動作を実行するように構成される、請求項１に記載のＤＳＡシステム。
【請求項９】
前記ＤＰＣプロセッサは、プロセッサ実行可能命令を用いて、
前記第１の通信リンクを介して登録情報を前記第１のＤＳＣから受信すること、
受信した前記登録情報を利用して前記第１のＤＳＣを認証すること、
前記第１のＤＳＣを認証することに応答して、前記ＤＰＣの登録メモリ内にＤＳＣ識別子を記憶すること、
複数の情報要素を含む登録受諾メッセージを生成すること、
前記第１の通信リンクを介し、生成した前記登録受諾メッセージを前記第１のＤＳＣへ送信することを含む動作を実行するように構成される、請求項１に記載のＤＳＡシステム。
【請求項１０】
前記登録受諾メッセージは、トランスポート層セッションを確立する際に使用するのに適したアドレス値を含むＸＥｈシグナリングトランスポートネットワーク層（ＴＮＬ）アドレス情報要素を含むように生成され、
前記ＤＳＡＡＰプロトコルを使用による前記第１の通信リンクを介する前記第１のＤＳＣとの前記通信は、前記第１の通信リンクを介して前記登録受諾メッセージを受信することを含み、
前記第１のＤＳＣプロセッサは、プロセッサ実行可能命令を用いて、
受信した前記登録メッセージの前記ＸＥｈシグナリングＴＮＬアドレス情報要素内に含まれる前記アドレス値を使用してトランスポート層セッションを確立することをさらに含む動作を実行するように構成される、請求項９に記載のＤＳＡシステム。
【請求項１１】
前記ＤＳＡＡＰプロトコルの使用による前記第１の通信リンクを介する前記ＤＰＣとの前記通信は、前記第１の通信リンクを介して前記ＤＰＣからインボイスを受信することを含む、請求項１に記載のＤＳＡシステム。
【請求項１２】
前記第２のＤＳＣプロセッサは、プロセッサ実行可能命令を用いて、
前記第２のＤＳＣによってサービス提供される前記第２の電気通信ネットワーク内のセル内での割り当てに利用可能な資源があるかどうかを判定すること、
前記第２のＤＳＣによってサービス提供される前記セル内での割り当てに利用可能な資源があると判定することに応答して資源登録要求メッセージを生成することを含む動作を実行するように構成され、
前記ＤＳＡＡＰプロトコルの使用による前記第２の通信リンクを介する前記ＤＰＣとの前記通信は、生成した前記資源登録要求メッセージを前記第２の通信リンクを介して前記ＤＰＣへ送信することを含む、請求項１に記載のＤＳＡシステム。
【請求項１３】
前記ＤＰＣプロセッサは、プロセッサ実行可能命令を用いて、
前記ＤＳＡＡＰプロトコルを使用し、前記第２の通信リンクを介して前記資源登録要求メッセージを前記第２のＤＳＣから受信すること、
受信した前記資源登録要求メッセージ内で識別される資源を記憶してサービス提供するために十分なメモリがないと判定することに応答して、受信した前記資源登録要求メッセージを拒否すること、
受信した前記資源登録要求メッセージを拒否することの応答として、前記第２の通信リンクを介して資源登録要求拒否メッセージを前記第２のＤＳＣに送信することを含む動作を実行するように構成される、請求項１２に記載のＤＳＡシステム。
【請求項１４】
前記第１のＤＳＣプロセッサは、プロセッサ実行可能命令を用いて、利用可能な入札要求メッセージを生成することをさらに含む動作を実行するように構成され、
前記ＤＳＡＡＰプロトコルの使用による前記第１の通信リンクを介する前記ＤＰＣとの前記通信は、
前記第１の通信リンクを介し、生成した前記利用可能な入札要求メッセージを前記ＤＰＣへ送信すること、および
生成した前記利用可能な入札要求メッセージの送信に応答して、前記第２の電気通信網によって割り当てに提供されている資源に関する情報を、前記第１の通信リンクを介して前記ＤＰＣから受信することを含む、請求項１に記載のＤＳＡシステム。
【請求項１５】
動的スペクトルアービトラージアプリケーションパート（ＤＳＡＡＰ）プロトコルを使用して、第１の通信リンクを介し、動的スペクトルポリシコントローラ（ＤＰＣ）と第１の電気通信ネットワーク内の第１の動的スペクトルコントローラ（ＤＳＣ）との間で情報通信を行い、
第２の電気通信ネットワーク内の第２のＤＳＣ内の第２のＤＳＣプロセッサにおいて、資源と関連付けられた地理的境界を決定し、
前記ＤＳＡＡＰプロトコルを用い、第２の通信リンクを介し、前記ＤＰＣと前記第２の電気通信ネットワーク内の前記第２のＤＳＣの間で情報通信を行い、
前記ＤＳＡＡＰプロトコルを用い、前記第３の通信リンクを介し、前記第２の電気通信ネットワーク内のｅＮｏｄｅＢと前記第２のＤＳＣとの間で情報通信を行うことを含み、
前記ｅＮｏｄｅＢと前記第２のＤＳＣの通信は、前記第３の通信リンクを介し、決定された前記地理的境界を識別する情報を前記第２のＤＳＣから前記ｅＮｏｄｅＢへ送信することを含む、動的スペクトルアービトラージ（ＤＳＡ）方法。